(57)【特許請求の範囲】
【請求項１】
建物の構造材に床パネルが床受金具で取り付けられた床パネルの支持構造であって、
前記床受金具は上側フランジにネジ孔が設けられた略Ｚ形の金属体からなり、該床受金具の上側フランジが構造材の上に載置され、床受金具の下側フランジの上に床パネルが載置され、床受金具の上側フランジの前記ネジ孔に、高さ調節可能なアジャスタボルトが出入自在に螺入され、
前記構造材は、上側フランジに通孔が設けられた断面コ字形の長尺体であり、前記床受金具の上側フランジには通孔が設けられ、該床受金具の上側フランジと構造材の上側フランジとの間に所定厚みのスペーサが挿入され、床受金具のフランジの前記通孔と構造材の上側フランジの前記通孔とに通されたボルトと、該ボルトに螺着されたナットとで床受金具が構造材に固定されていることを特徴とする床パネルの支持構造。
【請求項２】
建物の構造材に床パネルが床受金具で取り付けられた床パネルの支持構造であって、前記床受金具は上側フランジにネジ孔が設けられた略Ｚ形の金属体であり、前記構造材は断面コ字形の長尺体であり、該構造材のウェブには上側フランジの下方に突出した支持片が設けられ、上側フランジと支持片の相対する位置にそれぞれ通孔が設けられ、床受金具の上側フランジが構造材の上側フランジの上に載置され、床受金具の下側フランジの上に床パネルが載置され、床受金具の上側フランジのネジ孔に出入自在に螺入されたアジャスタボルトが構造材の上側フランジの通孔から支持片の通孔に通され、該上側フランジと支持片との間のアジャスタボルトに、構造材の上側フランジと支持片とに設けられた通孔より大きな外径を有する係止部が設けられていることを特徴とする床パネルの支持構造。
【請求項３】
前記床受金具の上側フランジと構造材との間に、所定の厚みのスペーサが挿入され、前記アジャスタボルトに設けられている係止部で床受金具が、構造材に固定されていることを特徴とする請求項２記載の床パネルの支持構造。
【請求項４】
前記床受金具の上側フランジのネジ孔に螺入されたアジャスタボルトのボルト頭が床パネルの上面より低くなされていることを特徴とする請求項１又は２記載の床パネルの支持構造。
【請求項５】
前記床受金具のウェブにネジ孔が設けられ、前記構造材に通孔が設けられ、該構造材の通孔からウェブのネジ孔に螺入されたボルトで床受金具が構造材に固定されていることを特徴とする請求項１又は２記載の床パネルの支持構造。
【請求項６】
複数の建物ユニットを組み合わせて部屋部分が構成されるユニット建物であって、
前記構造材が、建物ユニットの床梁であり、請求項１乃至５のいずれか１に記載の床パネルの支持構造を備えてなることを特徴とするユニット建物。
【発明の詳細な説明】
【０００１】
【発明の属する技術分野】
この発明は、床パネルの支持構造に係り、特に、ユニット建物を構成する建物ユニットに好適な床パネルの支持構造に関する。
【０００２】
【従来の技術】
従来から、建物の工業生産化率を高める一方式として、ユニット建物が普及している。このユニット建物は、一棟の建物を予めいくつかの運搬可能な大きさのユニットに分けて工場で生産した後、これらのユニットを建築現場に輸送し、予め準備した基礎の上で施工・組立する方式の建物である。組立は、まず、下階となる複数個の建物ユニットを基礎の上に据え付けてから相互に連結し、次に、据え付けられた下階建物ユニットの上に上階となる複数個の建物ユニットを据え付けてから相互に連結し、さらに、最上階の建物ユニットの上に対応する屋根ユニットを据え付けることで行われる。このユニット建物を構成する建物ユニットの床の取付構造としては種々あるが、床梁に床パネルを支持させた床の取付構造が多く採用されている。
【０００３】
一方、実開昭５９−８４１１２４号公報には、基礎に設けられたアンカーボルトに床パネルを取り付けた床パネルの取付構造が記載されている。この床パネルの取付構造は、基礎に設けられたアンカーボルトに雌ネジを有するレベル調整部材を螺入し、このレベル調整部材に床パネルの外側面から突設した突片を載せたものであり、レベル調整部材を螺入出することより、このレベル調整部材に取り付けられた床パネルを上下させて、床パネルの高さを調整するものである。
【０００４】
【発明が解決しようとする課題】
しかしながら、上記従来のユニット建物では、建物ユニットの複数個を基礎の上に据え付けてから相互に連結したり、下階の建物ユニットの上に上階の建物ユニットを据え付けて相互に連結する際に、床パネルの高さが異なれば、不便なことが多くある。例えば、相隣る建物ユニット間で床パネルの高さが異なれば、相隣る建物ユニットの一方から他方に化粧板や畳等の床仕上げ材を取り付けたとき、床の表面に段差が生じるので、１つの部屋として使用できない。
【０００５】
上記公報記載の床パネルの取付構造では、高さが調整できるので極めて便利であるが、この床パネルは、基礎に設けたアンカーボルトに取り付けられているため、現場施工による二階の床パネルの取付構造には採用できず、また、床パネルを予め工場で取り付けて建物ユニットを製造するユニット建物にも採用できない、という問題がある。
【０００６】
この発明は、上述の事情に鑑みてなされたもので、建築現場にて、上階の床パネルを支持するときにも採用でき、また、工場にて、建物ユニットの床パネルを支持するときにも採用できる高さ調節可能な床パネルの支持構造を提供することを目的としている。
【０００７】
【課題を解決するための手段】
上記課題を解決するために、請求項１記載の発明は、建物の構造材に床パネルが床受金具で取り付けられた床パネルの支持構造であって、上記床受金具は上側フランジにネジ孔が設けられた略Ｚ形の金属体であり、該床受金具の上側フランジが構造材の上に載置され、床受金具の下側フランジの上に床パネルが載置され、床受金型の上側フランジの上記ネジ孔に高さ調節可能なアジャスタボルトが出入自在に螺入され、上記構造材は上側フランジに通孔が設けられた断面コ字形の長尺体であり、上記床受金具の上側フランジには通孔が設けられ、該床受金具の上側フランジと構造材の上側フランジとの間に所定厚みのスペーサが挿入され、床受金具のフランジの上記通孔と構造材の上側フランジの上記通孔とに通されたボルトと、該ボルトに螺着されたナットとで床受金具が構造材に固定されていることを特徴としている。
【０００８】
請求項２記載の発明は、建物の構造材に床パネルが床受金具で取り付けられた床パネルの支持構造であって、上記床受金具は上側フランジにネジ孔が設けられた略Ｚ形の金属体であり、上記構造材は断面コ字形の長尺体であり、該構造材のウェブには上側フランジの下方に突出した支持片が設けられ、上側フランジと支持片の相対する位置にそれぞれ通孔が設けられ、床受金具の上側フランジが構造材の上側フランジの上に載置され、床受金具の下側フランジの上に床パネルが載置され、床受金具の上側フランジのネジ孔に出入自在に螺入されたアジャスタボルトが構造材の上側フランジの通孔から支持片の通孔に通され、該上側フランジと支持片との間のアジャスタボルトに、構造材の上側フランジと支持片とに設けられた通孔より大きな外径を有する係止部が設けられていることを特徴としている。
【０００９】
また、請求項３記載の発明は、請求項２記載の発明に係り、上記床受金具の上側フランジと構造材との間に所定厚みのスペーサが挿入され、上記アジャスタボルトに設けられている係止部で床受金具が構造材に固定されていることを特徴としている。
【００１０】
請求項４記載の発明は、請求項１又は２記載の発明に係り、上記床受金具の上側フランジのネジ孔に螺入されたアジャスタボルトのボルト頭が床パネルの上面より低くなされていることを特徴としている。
【００１１】
請求項５記載の発明は、請求項１又は２記載の発明に係り、上記床受金具のウェブにネジ孔が設けられ、上記構造材に通孔が設けられ、該構造材の通孔からウェブのネジ孔に螺入されたボルトで床受金具が構造材に固定されていることを特徴としている。
【００１２】
また、請求項６記載の発明は、複数の建物ユニットを組み合わせて部屋部分が構成されるユニット建物に係り、上記構造材が、建物ユニットの床梁であり、請求項１乃至５のいずれか１に記載の床パネルの支持構造を備えてなることを特徴としている。
【００１３】
【作用】
請求項１記載の構成では、略Ｚ形の金属体である床受金具の上側フランジが構造材の上に載置され、床受金具の下側フランジの上に床パネルが載置されているので、この床パネルの支持構造は基礎と関係ない。したがって、建築現場にて取り付けられる上階の床ユニットにも採用でき、また、工場生産の建物ユニットにも採用できる。
また、床受金具の上側フランジのネジ孔にアジャスタボルトが出入自在に螺入されているので、このアジャスタボルトを螺入して下方向に進めれば、このアジャスタボルトの先端を構造材の方向に突出して、床受金具が上方向に移動し、この結果、床受金具の下側フランジの上に載置されている床パネルが上方向に移動する。また、逆に、先端が突出しているアジャスタボルトを螺出して上方向に進めれば、アジャスタボルトの先端が引っ込んで、床受金具が下方向に移動し、この結果、床パネルが下方向に移動する。このように、アジャスタボルトを螺入出することにより簡単に床パネルの高さを調節できる。
【００１４】
さらに、床受金具の上側フランジと構造材との間に所定厚みのスペーサが挿入され、床受金具のフランジの通孔と構造材の上側フランジの通孔とに通されたボルトと、該ボルトに螺着されたナットとで床受金具が構造材に固定されている。かかる構造になすには、上述したようにして床パネルの高さを調整する際に、床パネルを所定位置より若干高くし、この構造材の上側フランジと床受金具の上側フランジとの間に所定厚みのスペーサを挿入した後、再び、床パネルを所定位置まで低くしてスペーサの上に載せ、床受金具のフランジの通孔と構造材の上側フランジの通孔とに通されたボルトと、該ボルトに螺着されたナットとで床受金具を構造材に所定厚みのスペーサを挟んで固定すれば良い。
【００１５】
また、請求項２記載の構成では、略Ｚ形の金属体である床受金具の上側フランジが構造材の断面コ字形の上側フランジの上に載置され、床受金具の下側フランジの上に床パネルが載置されているので、この床パネルの支持構造は基礎と関係がない。したがって、現場施工の上階の床ユニットにも採用でき、また、工場生産の建物ユニットにも採用できる。
また、床受金具の上側フランジのネジ孔に出入自在に螺入されたアジャスタボルトが構造材の上側フランジの通孔から支持片の通孔に通され、該上側フランジと支持片との間のアジャスタボルトに、構造材の上側フランジと支持片とに設けられた通孔より大きな外径を有する係止部が設けられているので、床パネルを上方向に移動させたいときは、係止部を支持片側に移動させた後、アジャスタボルト７５ａを床受金具の上側フランジのネジ孔に対してさらに螺入する方向に回すと、係止部は、支持片の通孔よりも大きな外径を有するので、支持片に当接した状態のままとなって、アジャスタボルトを下動させず、その代わり、床受金具の上側フランジのネジ孔が上方向に移動するので、床受金具が上方向に移動し、この結果、床受金具の下側フランジの上に載置されている床パネルが上方向に移動する。
また、先端が突出しているアジャスタボルトを床受金具の上側フランジのネジ孔に対して螺出する方向に進めれば、アジャスタボルトの先端が床受金具の上側フランジのネジ孔に対して相対的に引っ込むので、床受金具が下方向に移動し、この結果、床パネル３３が下方向に移動する。このように、アジャスタボルトを螺入出することにより簡単に床パネルの高さを調節できる。
【００１６】
また、請求項３記載の構成では、床受金具の上側フランジと構造材との間に所定厚みのスペーサが挿入され、アジャスタボルトに設けられている係止部で床受金具が構造材に固定されている。このような構造を実現するには、請求項２記載の発明の作用で説明したようにして床パネルの高さを調整する際に、床パネルを所定位置より若干高くし、この構造材の上側フランジと床受金具の上側フランジとの間に所定厚みのスペーサを挿入した後、再び、床パネルを所定位置まで低くしてスペーサの上に載せる。さらに、係止部を回転させてアジャスタボルトに沿って上方向に移動させれば、このナットは支持片に設けられている通孔より大きな外径を有するので床受金具と構造材を下方から押圧して、床パネルを構造材に固定すれば良い。請求項３記載の発明は、このような構造になっているので、床パネルを所定高さにして構造材に強固に固定させることができる。
【００１７】
また、請求項４記載の構成では、床受金具の上側フランジのネジ孔に螺入されたアジャスタボルトのボルト頭が床パネルの上面より低くなされているので、床パネルから隣の床パネルまで連続した床仕上げ材等の床面材を取り付ける際に、このアジャスタボルトが邪魔にならず、床パネルから隣の床パネルに連続した床面材を取り付けても段差が生じない。
【００１８】
また、請求項５記載の構成では、床受金具のウェブにネジ孔が設けられ、構造材に通孔が設けられ、この構造材の通孔からウェブのネジ孔に螺入されたボルトで床受金具が構造材に固定されているので、床受金具のウェブも構造材に強固に取り付けることができる。
ボルトをネジ孔に螺入したことにより、構造材に対する床受金具と床パネルの水平・垂直両方向の変位を抑えることが出来、床歩行時の振動特性が改善され、歩行感が向上する。
【００１９】
【発明の実施の形態】
以下、図面を参照して、この発明の実施の形態について説明する。説明は、実施例を用いて具体的に行う。
◇第１実施例
図１は、この発明の第１実施例である床パネルの支持構造を示し、具体的には、ユニット建物に適用した床パネルの支持構造を示す断面図、図２は同ユニット建物の外観構成を概略示す斜視図、図３は、同ユニット建物の一階部屋部分を構成する一階建物ユニットを示す一部切欠斜視図、図４は、同ユニット建物の二階部屋部分を構成する二階建物ユニットの構成を示す一部切欠斜視図、図５は図４のＡ−Ａ線に沿う拡大断面図、また、図６は、同実施例で用いられるスペーサを示す斜視図である。
【００２０】
この例では、図２に示すように、基礎９の上に、一階建物ユニットＴ１を据え付け、この一階建物ユニットＴ１上に、二階建物ユニットＴ２を据え付け、この上に屋根ユニットＹを取り付けてなるユニット建物Ｔについて述べる。一階建物ユニットＴ１は、図３に示すように、一対の妻壁パネル１１，１１と桁壁パネル１２が床パネル１３の３方面の側縁に立設され、四隅には、補強用木質の柱２が立設されている。この壁パネル１１，１１，１２は、略四角形に枠組みされた枠の屋内側と屋外側にそれぞれ石膏ボードや硬質木片セメント板等の壁面材が取り付けられて、耐力壁となっている。また、床パネル１３は枠の上面に略２０ｍｍの合板の上面材が取り付けられ、下面に略９ｍｍの合板の下面材が取り付けられたものである。なお、この桁壁側の下部には木質の桁側床梁１５が設けられていて、この桁側床梁に略Ｚ形の取付片の上側フランジが取り付けられ、この取付片の下側フランジに床パネル１３が載置されて取り付けられている。この床パネル１３の支持構造は、次に示す二階建物ユニットＴ２の床パネル３３の支持構造と略同じであるので説明を省略する。
【００２１】
二階建物ユニットＴ２は、一対の妻壁パネル３１，３１と桁壁パネル３２が床パネル３３の３方面の側縁に立設され、四隅には、補強用木質の柱４が立設されている。この壁パネル３１，３１，３２は、略四角形に枠組みされた枠の屋内側と屋外側にそれぞれ石膏ボードや硬質木片セメント板等の壁面材が取り付けられて、耐力壁となっている。また、図５に示すように、両側の柱４，４に金属製の断面コ字形の長尺体である桁側床梁５が差し渡され、この桁側床梁５に床パネル３３と天井パネル６が取り付けられている。この床パネル３３は幅略３８ｍｍ、高さ１４０ｍｍの木製の枠３３１の上面に厚み略２０ｍｍの合板の上面材３３２が、下面に厚み略９ｍｍの合板の下面材３３３が取り付けられたものであり、天井パネル６は幅略３８ｍｍ、高さ略８９ｍｍの木製の枠６１の下面に厚み略１５ｍｍの石膏ボードの天井材６２が取り付けられたものである。
【００２２】
この二階建物ユニットＴ２の床パネル３３と天井パネル６の支持構造についてさらに詳細に説明する。
桁側床梁５は断面コ字形の鋼製の長尺体であり、上側フランジ５１には通孔５１１が設けられ、下側フランジ５２には通孔５２１が設けられ、ウェブ５３には通孔５３１が設けられている。
床受金具７は断面略Ｚ形の鋼製の長尺体であり、この床受金具７の上側フランジ７１には通孔７１１と、通孔にナットが溶接された固着ナット７１２とが設けられ、床受金具７のウェブ７３には通孔にナットが溶接されたネジ孔７３１が９９０ｍｍピッチで設けられていている。なお、固着ナット７１２にアジャスタボルト７５が螺入されている。
【００２３】
そして、図５に示すように、床受金具７の断面略Ｚ形の下側フランジ７２の上に床パネル３３が載置され、ウェブ７３が床パネル３３の側面に当接されて釘７９で床受金具７が床パネル３３に取り付けられている。
この床受金具７が取り付けられた床パネル３３が、相対する桁側床梁５の間に落とし込まれて、桁側床梁５の断面コ字形の上側フランジ５１の上に、略Ｚ字形の床受金具７の上側フランジ７１が載置され、床受金具７の上側フランジ７１に設けられた通孔７１１と桁側床梁５の上側フランジ５１の通孔５１１とに通されたボルト・ナット７６と、桁側床梁５のウェブ５３の通孔５３１から床受金具７のウェブ７３のネジ孔７３１に螺入されたボルト７７とで、床パネル３３が桁側床梁５に仮固定されている。
【００２４】
なお、床受金具７の上側フランジ７１の固着ナット７１２に螺入されたアジャスタボルト７５のボルト頭７５１は、床パネル３３の上面よりも低くなるようにされている。また、天井パネル６には、断面Ｌ字形の取付金具６５が、取付金具６５の上側フランジ６５１から天井ネル６の枠６１に打ち込まれた釘６５６で取り付けられている。そして、この取付金具６５の下側片６５２がゴム製の防振座金６６を介して桁側床梁５の下側フランジ５２の通孔５２１に挿入されたボルト・ナット６９で、桁側床梁５に天井パネル６が取り付けられている。
【００２５】
スペーサ８は、図６に示すように、中央にボルトを通す溝８１が設けられている略矩形状の板材である。そして、図１に示すように、妻壁床梁５の上側フランジ５１と床受金具７の上側フランジ７１との間に挿入されて、床パネル３３の高さを調節するものである。したがって、調整する高さに応じて種々な所定厚みのものが容易されている。屋根ユニットＹについての説明は省略する。
【００２６】
次に、ユニット建物の施工方法について説明する。予め工場において、一階建物ユニットＴ１、二階建物ユニットＴ２及び屋根ユニットＹ等を生産する。二階建物ユニットＴ２を生産する際には、柱４と妻壁パネル３１，３１と桁壁パネル３２を組み立てた後、相対する桁側床梁５，５の間に床受金具５が取り付けられた床パネル３３を落とし込み、桁側床梁５の中に設けられている断面コ字形の上側フランジ７１の上に、略Ｚ字形の床受金具７の上側フランジ７１を載せ、床受金具７の上側フランジ７１に設けられた通孔７１１と桁側床梁５の上側フランジ５１の通孔５１１とに通されたボルト・ナット７６と、桁側床梁５のウェブ５３の通孔５３１から床受金具７のウェブ７３のネジ孔７３１に螺入されたボルト７７とで、床パネル３３を桁側床梁５に仮固定する。
なお、床受金具７の上側フランジ７１に設けられた固着ナット７１２にアジャスタボルト７５を螺入しておく。また、取付金具６５の下側片６５２がゴム製の防振座金６６を介して桁側床梁５の下側フランジ５２の通孔５２１に挿入されたボルト・ナット６３で天井パネル５を桁側床梁５に取り付ける。
【００２７】
このようにして生産した一階建物ユニットＴ１、二階建物ユニットＴ２、屋根ユニットＹ等を施工現場に運搬し、予め取り付けられている基礎９の上に一階建物ユニットＴ１を据え付け、この上に二階建物ユニットＴ２を据え付け、この上に屋根ユニットＹを取り付ける。なお、相隣る建物ユニットＴ１，Ｔ２の床パネル１３，３３の高さが異なるようであれば、高さを調節する。
【００２８】
この床パネル１３、３３の高さを調節する方法を、床パネル３３を例に挙げて説明する。まず、仮固定されている床受金具７の上側フランジ７１に設けられた通孔７１１と桁側床梁５の上側フランジ５１の通孔５１１とに通されたボルトとナット７６と、桁側床梁５のウェブ５３の通孔５３１から床受金具７のウェブ７３のネジ孔７３１に螺入されたボルト７７とを緩める。
次に、床パネル３３を上方向に移動させたいときには、床受金具７の上側フランジ７１の固着ナット７１２に螺入されているアジャスタボルト７５を固着ナット７１２に対してさらに螺入するように回転する。このようにすれば、このアジャスタボルト７５の先端は、桁側床梁５の上側フランジ５１に当たった状態で下動せず、一方、固着ナット７１２が上方向へ移動するので、床受金具７が上方向に移動し、この結果、床受金具７の下側フランジ７２の上に載置されている床パネル３３が上方向に移動する。また、逆に、床パネル３３を下方向に移動させたいときには、先端が突出しているアジャスタボルト７５を固着ナット７１２に対して螺出させる方向に進めれば、アジャスタボルト７５の先端が固着ナット７１２に対して相対的に引っ込むので、床受金具７が下方向に移動し、この結果、床パネル３３が下方向に移動する。このように、アジャスタボルト７５を螺入出することにより簡単に床パネル３３の高さを調節できる。
【００２９】
このようにして、高さを調節できるのであるが、さらに良い方法は、床パネル３３を所定位置より若干高くし、この桁側床梁５の上側フランジ５１と床受金具７の上側フランジ７１との間に所定厚みのスペーサ８を挿入した後、再び、床パネル３３を所定位置まで低くしてスペーサ８の上に載せる。この後、床受金具７の上側フランジ７１の通孔７１１と桁側床梁５の上側フランジ５１の通孔とに通されたボルト・ナット７６で床受金具７を桁側床梁５にスペーサ８を挟んで固定する。さらに、桁側床梁５の通孔５３１から床受金具７のウェブ７３のネジ孔７３１に螺入されたボルト７７で床受金具７を桁側床梁５に固定する。このようにすれば、床パネル３３は、上面が桁側床梁５の上側フランジ５１にボルト・ナット７６で固く締結され、側端面が床受金具７に強固に固定される。ボルト７７をネジ孔７３１に螺入したことにより、床梁５に対する床受金具７と床パネル３３の水平・垂直両方向の変位を抑えることが出来、床歩行時の振動特性が改善され、歩行感が向上する。又、上記構成ではネジ孔７３１のナットにより床梁５と床受金具７とが密着するのが防がれるため、上階の歩行音等が下階に伝播することを防止している。
【００３０】
この後、相隣る床パネル１３，３３の間に面材９５を取り付ける。また、相隣る二階建物ユニットＴ２に取り付けられている相隣る天井パネル６の間に面材９６を取り付ける。
このようすれば、床受金具７の上側フランジ７１のネジ孔７１１に螺入されたアジャスタボルト７５のボルト頭７５１が床パネル３３の上面より低くなされているので、床パネル３３から隣の床パネル３３に面材９５を取り付ける際にアジャスタボルト７５が邪魔にならない。また、図１に示すように、床パネル３３の高さが等しくなるので、この床板９５の上に床パネル３３から隣の床パネル３３まで連続した床仕上げ材を取り付けても段差が生ぜず極めて良い床となる。
【００３１】
◇第２実施例
次に、図７及び図８を参照して、この発明の第２実施例について説明する。
図７は、この発明の第２実施例である床パネルの支持構造を示し、具体的には、ユニット建物に適用した床パネルの支持構造を示す断面図、また、図８は、同ユニット建物の二階部屋部分を構成する二階建物ユニットの桁側床梁部分を示す断面図である。
これらの図において、桁側床梁５ａは断面コ字形の鋼製の長尺体であり、この桁側床梁５ａのウェブ５３ａには上側フランジ５１ａの下方に突出した支持片５９ａが設けられ、上側フランジ５１ａと支持片５９ａの相対する位置にそれぞれ通孔５１４ａ、５９４ａが設けられている。また、ウェブ５３ａには通孔５３１ａが設けられている。
【００３２】
この床受金具７ａは断面略Ｚ形の鋼製の長尺体であり、上側フランジ７１ａには通孔にナットが溶接された固着ナット７１２ａが設けられ、ウェブ７２ａにはネジ孔７３１ａが設けられている。
そして、図８に示すように、床受金具７ａの断面略Ｚ形の下側フランジ７２ａの上に床パネル３３が載置され、ウェブ７３ａが床パネル３３の側面に当接されて釘７９で床受金具７ａが床パネル３３に取り付けられている。この床受金具７ａが取り付けられた床パネル３３が、相対する桁側床梁５ａの間に落とし込まれて、桁側床梁５ａの断面コ字形の上側フランジ５１ａの上に、略Ｚ字形の床受金具７ａの上側フランジ７１ａが載置され、床受金具７ａの上側フランジ７１ａに設けられた固着ナット７１２ａに出入自在に螺入されたアジャスタボルト７５ａが桁側床梁５ａの上側フランジ５１ａの通孔５１４ａから支持片５９ａの通孔５９４ａに通され、上側フランジ５１ａと支持片５９ａとの間のアジャスタボルト７５ａにダブルナット７８ａが螺着されている。このダブルナット７８ａの外径は桁側床梁５ａの上側フランジ５１ａに設けられた通孔５１４ａより大きく、且つ、支持片５９ａに設けられた通孔５９４ａより大きい。
なお、床受金具７ａの上側フランジ７１ａの固着ナット７１２ａに螺入されたアジャスタボルト７５ａのボルト頭７５１ａは床パネル３３の上面よりも低くなるようにされている。
【００３３】
このようになっているので、床パネル３３を上方向に移動させたいときは、図８に示すように、ダブルナット７８ａを支持片５９ａの上面に当接するまで移動させた後、アジャスタボルト７５ａを固着ナット７１２ａに対してさらに螺入する方向に回すと、ダブルナット７８ａは、支持片５９ａの通孔５９４ａよりも大きな外径を有するので、支持片５９ａに当接した状態のままとなって、アジャスタボルト７５ａを下動させず、その代わり、固着ナット７１２ａが上方向に移動するので、床受金具７ａが上方向に移動し、この結果、床受金具７ａの下側フランジ７２ａの上に載置されている床パネル３３が上方向に移動する。
また、先端が突出しているアジャスタボルト７５ａを固着ナット７８ａに対して螺出する方向に進めれば、アジャスタボルト７５ａの先端が固着ナット７１２ａに対して相対的に引っ込むので、床受金具７ａが下方向に移動し、この結果、床パネル３３が下方向に移動する。
【００３４】
次に、ユニット建物の施工方法について説明する。
予め、工場で生産した一階建物ユニット、二階建物ユニット、屋根ユニット等を施工現場に運搬し、予め準備された基礎の上に、一階建物ユニットを据え付けし、この上に二階建物ユニットを据え付けし、この上に屋根ユニットを取り付ける。ここで、相隣る建物ユニット間で床パネルの高さが異なる場合には、高さを調節する。
【００３５】
この床パネルの高さを調節する方法を床パネル３３を例に挙げて説明する。まず、仮固定されている桁側床梁５ａのウェブ５３ａの通孔５３１ａから床受金具７ａのウェブ７３ａのネジ孔７３１ａに螺入されたボルト７７ａを緩める。次に、床パネル３３を上方向に移動させたいときには、ダブルナット７８ａを支持片５９ａ側に移動させた後、アジャスタボルト７５ａを回して下方向に進める。
このようにすれば、このアジャスタボルト７５ａの先端がアジャスタボルト７５ａに設けられているダブルナット７８ａと共に支持片５９ａの方向に突出し、このダブルナット７８ａは支持片５９ａに設けられている通孔５９４ａより大きな外径を有するので、支持片５９ａを押して床受金具７ａが上方向に移動し、この結果、床受金具７ａの下側フランジ７２ａの上に載置されている床パネル３３が上方向に移動する。
【００３６】
また、逆に、床パネル３３を下方向に移動させたいときには、先端が突出しているアジャスタボルト７５ａを螺出し上方向に進めると、アジャスタボルト７５ａの先端がダブルナット７８ａと共に引っ込んで、床受金具７ａが下方向に移動し、この結果、床パネル３３が下方向に移動する。
このように、アジャスタボルト７５ａを螺入出することで、簡単に床パネル３３の高さを調節できる。
【００３７】
このようにして高さを調節できるのであるが、さらに良い方法は、図７に示すように、床パネル３３を所定位置より若干高くし、この桁側床梁５ａの上側フランジ５１ａと床受金具７ａの上側フランジ７１ａとの間に所定厚みのスペーサ８を挿入した後、再び、床パネル３３を所定位置まで低くしてスペーサ８の上に載せる。この後、ダブルナット７８ａを回転させて上方向に移動させると、このダブルナット７８ａは桁側床梁５ａの上側フランジ５１ａに設けられている通孔５１４ａより大きな外径を有するので、図７に示すように、桁側床梁５ａの上側フランジ５１ａの下側を押圧して、床受金具７ａが桁側床梁５にスペーサ８を挟んで固定される。さらに、桁側床梁５ａの通孔５３１ａから床受金具７ａのウェブ７３ａのネジ孔７３１ａに螺入されたボルト７７ａで床受金具７ａを桁側床梁５ａに固定する。
このようにすれば、床パネル３３は、上面が、桁側床梁５ａの上側フランジ５１ａにダブルナット７８ａで強固に締結され、側端面が床受金具７ａに強固に固定されることとなる。
ボルト７７aをネジ孔７３１aに螺入したことにより、床梁５aに対する床受金具７aと床パネル３３の水平・垂直両方向の変位を抑えることが出来、床歩行時の振動特性が改善され、歩行感が向上する。又、上記構成ではネジ孔７３１aのナットにより床梁５aと床受金具７aとが密着するのが防がれるため、上階の歩行音等が下階に伝播することを防止している。
【００３８】
この後、相隣る床パネル３３の間に面材９５を取り付ける。また、相隣る二階建物ユニットＴ２に取り付けられている相隣る天井パネル６の間に面材９６を取り付ける。このようにすれば、床受金具７ａの上側フランジ７１ａの固着ナット７１２ａに螺入されたアジャスタボルト７５ａのボルト頭７５１ａが床パネル３３の上面より低くなされているので、床パネル３３から隣の床パネル３３に面材９５を取り付ける際にアジャスタボルト７５ａが邪魔にならない。
また、図１に示すように、床パネル３３の高さが等しくなるので、この床板９５の上に床パネル３３から隣の床パネル３３まで連続した床仕上げ材を取り付けても段差が生ぜず極めて良い床となる。
【００３９】
以上、この発明の実施例を図面により詳述してきたが、具体的な構成はこの実施例に限られるものではなく、この発明の要旨を逸脱しない範囲の設計の変更等があってもこの発明に含まれる。例えば、上述の第２実施例ではアジャスタボルトに設けられているダブルナット７８ａとしてダブルナットを使用しているが、このダブルナットに替えて、図９に示すようなナット本体７８１ｂとこの側面から螺入するボルト７８２ｂとからなるナット７８ｂであっても良い。
このダブルナット７８ｂでは、ナット本体７８１ｂに螺入されたアジャスタボルト７５ｂを、別のボルト７８２ｂをナット本体７８１ｂの側面から螺入することで止着でき、ボルト７８２ｂを螺出するとアジャスタボルト７５ａが回転できるのである。
【００４０】
【発明の効果】
以上説明したように、請求項１記載の構成によれば、略Ｚ形の金属体である床受金具の上側フランジが構造材の上に載置され、床受金具の下側フランジの上に床パネルが載置されているので、現場施工で取り付けられる上階の床ユニットにも採用でき、また、工場生産による建物ユニットにも採用できる。
また、床受金具の上側フランジのネジ孔にアジャスタボルトが出入自在に螺入されているので、アジャスタボルトを螺入出させることにより簡単に床パネルの高さを調節することができる。
【００４１】
さらに、床受金具の上側フランジと構造材との間に所定厚みのスペーサが挿入され、床受金具のフランジの通孔と構造材の上側フランジの通孔とに通されたボルトと、該ボルトに螺着されたナットとで床受金具と構造材とが固定されているので、床受金具を構造材に所定厚みのスペーサを挟んでボルト・ナットで固定することにより床パネルを所定高さにして構造材に強固に固定させることができる。
【００４２】
請求項２記載の構成によれば、略Ｚ形の金属体である床受金具の上側フランジが構造材の断面コ字形の上側フランジの上に載置され、床受金具の下側フランジの上に床パネルが載置されているので、建築現場で取り付けられる上階の床ユニットにも採用でき、また、工場生産される建物ユニットにも採用できる。
また、床受金具の上側フランジのネジ孔に出入自在に螺入されたアジャスタボルトが構造材の上側フランジの通孔から支持片の通孔に通され、該上側フランジと支持片との間のアジャスタボルトに係止部が移動自在に設けられているので、アジャスタボルトを螺入出させて、床パネルの高さを調節することができる。
【００４３】
請求項３記載の構成によれば、床受金具の上側フランジと構造材との間に所定厚みのスペーサが挿入されているので、床受金具を構造材に所定厚みのスペーサを挟んで係止部で固定することにより床パネルを所定高さにして構造材に強固に固定させることができる。
【００４４】
請求項４記載の構成によれば、床受金具の上側フランジのネジ孔に螺入されたアジャスタボルトのボルト頭が床パネルの上面より低くなされているので、床パネルから隣の床パネルまで連続した床仕上げ材を取り付ける際に、このアジャスタボルトが邪魔にならず、床パネルと隣の床パネルとの間に面材を段差なく取り付けることができる。
【００４５】
請求項５記載の構成によれば、床受金具のウェブにネジ孔が設けられ、構造材に通孔が設けられ、この構造材の通孔からウェブのネジ孔に螺入されたボルトで床受金具が構造材に固定されているので、床受金具のウェブを構造材に強固に取り付けることができる。ボルトをネジ孔に螺入したことにより、構造材に対する床受金具と床パネルの水平・垂直両方向の変位を抑えることが出来、床歩行時の振動特性が改善され、歩行感が向上する。
【図面の簡単な説明】
【図１】この発明の第１実施例である床パネルの支持構造を示し、具体的には、ユニット建物に適用した床パネルの支持構造を示す断面図である。
【図２】同ユニット建物の外観構成を概略示す斜視図である。
【図３】同ユニット建物の一階部屋部分を構成する一階建物ユニットを示す一部切欠斜視図である。
【図４】同ユニット建物の二階部屋部分を構成する二階建物ユニットを示す一部切欠斜視図である。
【図５】図４のＡ−Ａ線に沿う拡大断面図である。
【図６】同実施例で用いられるスペーサを示す斜視図である。
【図７】この発明の第２実施例である床パネルの支持構造を示し、具体的には、ユニット建物に適用した床パネルの支持構造を示す断面図である。
【図８】同ユニット建物の二階部屋部分を構成する二階建物ユニットの桁側床梁部分を示す断面図である。
【図９】第１及び第２実施例の変形例に係るナットの構成を示す斜視図である。
【符号の説明】
Ｔ  ユニット建物
Ｔ１  一階建物ユニット
Ｔ２  二階建物ユニット
３１  妻壁パネル
３２  桁壁パネル
３３  床パネル
５，５ａ  桁側床梁（構造材）
５１，５１ａ  上側フランジ
５１４ａ  通孔
５３，５３ａ  ウェブ
５３１，５３１ａ  ネジ孔
５９ａ  支持片
９９４ａ  通孔
７，７ａ  床受金具
７１，７１ａ  上側フランジ
７１２，７１２ａ  固着ナット
７３，７３ａ  ウェブ
７５，７５ａ  アジャスタボルト
７７，７７ａ  通孔
７８ａ  ダブルナット（係止部）
８  スペーサ
【図１】
0003688511.tif 000002
【図２】
0003688511.tif 000003
【図３】
0003688511.tif 000004
【図４】
0003688511.tif 000005
【図５】
0003688511.tif 000006
【図６】
0003688511.tif 000007
【図７】
0003688511.tif 000008
【図８】
0003688511.tif 000009
【図９】
0003688511.tif 000010